(57)【要約】【課題】本発明は、好適にバストのボリュームアップ効果を図ることができる衣類を提供することを課題とする。【解決手段】バストを収容可能な一対のカップ部１１，１２を備えたブラジャー１は、バストに間接的に接触するリフトアップパネル６を有する。リフトアップパネル６は、カップ部１１，１２の外面側に配されて、その下端側がカップ部１１，１２に一体に接続され、その上端側がリフトアップパネル６に引っ張り力を発生させることが可能なパネル調整部７を介して肩紐１３に接続されている。リフトアップパネル６に引っ張り力が発生すると、そのリフトアップパネル６がカップ部１１，１２をブラジャー１の外側領域から押圧し、その作用によりバストをブラジャー１の内側領域に寄せつつ上方に持ち上げる。【選択図】図４
2016130380.tif 000002
【特許請求の範囲】
【請求項１】
着用者の肩に接触する肩紐と、当該肩紐に直接的又は間接的に接続された乳房を収容可能な一対のカップ部を備えた衣類であって、
乳房に直接的又は間接的に接する接触面を有する接触部を有し、
前記接触部は、前記カップ部に対しては当該カップ部の下端側において一体となるように接続され、前記肩紐に対しては当該接触部に引っ張り力を発生させることが可能な力発生手段を介して接続され、
前記接触部に引っ張り力が発生すると、当該接触部の全部又は一部が前記カップ部の少なくとも下部側に対して離反する方向又は乳房を押圧する方向に移動して、当該カップ部内に収容された乳房を少なくとも上方に移動又は変形させることを特徴とする衣類。
【請求項２】
前記肩紐は、当該肩紐の長さを調整可能とした肩紐調整手段を有し、
前記接触部は、前記肩紐調整手段の長さを調整しても前記カップ部に対する位置が変化しないことを特徴とする請求項１に記載の衣類。
【請求項３】
前記接触部は、前記カップ部における乳房が収容される内面側と反対側の外面側に配されることを特徴とする請求項１又は２に記載の衣類。
【発明の詳細な説明】
【技術分野】
【０００１】
本発明は、バストを収容するカップ部を有する衣類に関するものであり、特にバストの形を美しく見せることができる衣類に関する。
【背景技術】
【０００２】
従来から、主に女性が着用する衣類として、例えばブラジャーがある。一般に、ブラジャーは、乳房（以下「バスト」ともいう）を収容可能とした左右一対のカップ部が備えられた構造であり、この一対のカップ部によってバストの形状を美しく保つことが可能な構成となっている（例えば特許文献１）。
【０００３】
近年では、バストの形状をより美しく保つだけでなく、女性としての魅力をより向上させることを目的として、カップ部の内部にパッドを収容したブラジャーが提供されている。このパッド入りのブラジャーでは、カップ部に収容されたパッドによってバストが上方に押し上げられるため、バストのボリュームアップ効果を図ることができ、より女性的なラインが強調される。
【先行技術文献】
【特許文献】
【０００４】
【特許文献１】特開２０００−２２６７０１号公報
【発明の概要】
【発明が解決しようとする課題】
【０００５】
しかしながら、パッド入りのブラジャーは、着用者の動作等によって着くずれが発生すると、バストのパッドに対するフィット性が低下して所望の効果が発揮できないという問題があった。
【０００６】
また、バストのボリュームアップ効果を図るための他の手段としては、ブラジャー着用者の肩に掛けられる肩紐の長さを調整してカップ部と共にバストを持ち上げる方法が挙げられる。この方法でバストのボリュームアップ効果を図ろうとした場合、通常の着用位置に対してカップ部の位置を持ち上げる必要があるため、肩紐の長さを通常の着用時よりも短く調整しなければならない。そのため、この方法でバストのボリュームアップ効果を図ろうとした場合、肩紐の長さがどんどん短くなり着用者に窮屈感を来す場合があった。
【０００７】
そこで、本発明は、好適にバストのボリュームアップ効果を図ることができる衣類を提供することを目的とする。
【課題を解決するための手段】
【０００８】
本発明の衣類は、着用者の肩に接触する肩紐と、当該肩紐に直接的又は間接的に接続された乳房を収容可能な一対のカップ部を備えた衣類であって、乳房に直接的又は間接的に接する接触面を有する接触部を有し、前記接触部は、前記カップ部に対しては当該カップ部の下端側において一体となるように接続され、前記肩紐に対しては当該接触部に引っ張り力を発生させることが可能な力発生手段を介して接続され、前記接触部に引っ張り力が発生すると、当該接触部の全部又は一部が前記カップ部の少なくとも下部側に対して離反する方向又は乳房を押圧する方向に移動して、当該カップ部内に収容された乳房を少なくとも上方に移動又は変形させる。
【０００９】
かかる構成により、接触部に引っ張り力が発生すると、当該接触部はその全部又は一部がカップ部の少なくとも下部側に対して離反方向又は乳房を押圧する方向に移動するため、カップ部に収容されている乳房を、少なくとも上方に移動又は変形させることができる。つまり、本発明によれば、接触部に引っ張り力が発生していない状態のカップ部に収容された乳房の姿勢を基準に、乳房を上方に持ち上げたような姿勢に変化させることができる。かかる作用により、バストのボリュームアップ効果を図ることができる。
【００１０】
また、前記肩紐は、当該肩紐の長さを調整可能とした肩紐調整手段を有し、前記接触部は、前記肩紐調整手段の長さを調整しても前記カップ部に対する位置が変化しないものであってもよい。
【００１１】
かかる構成により、バストのボリュームアップ効果を図ったとしても、従来の衣類のように肩紐が短くなることがないため、使用者が窮屈感を感じることがない。
【００１２】
また前記接触部は、前記カップ部における乳房が収容される内面側と反対側の外面側に配されるものであってもよい。
【００１３】
かかる構成により、乳房をカップ部に密着させた状態でバストのボリュームアップ効果を図ることができるため、より美しい女性ラインを形成することができる。
【発明の効果】
【００１４】
本発明によれば、好適にバストのボリュームアップ効果を図ることができる。
【図面の簡単な説明】
【００１５】
【図１】本発明の実施形態に係るブラジャー１を正面から示す斜視図
【図２】図１のブラジャー１を背面から示す斜視図
【図３】図１のブラジャー１を展開して正面視した展開図
【図４】図１のブラジャー１のリフトアップパネル６に注目した説明図（リフトアップ前）
【図５】図１のブラジャー１のリフトアップパネル６に注目した説明図（リフトアップ後）
【図６】図１のブラジャー１の実際の使用方法を示す説明図であり、（Ａ）はリフトアップ前を示し、（Ｂ）はリフトアップ後を示す
【図７】図１のブラジャー１の変形例を示す説明図（接続位置変更手段）
【図８】図１のブラジャー１の変形例を示す説明図（リフトアップパネル）
【発明を実施するための形態】
【００１６】
［本実施形態に係るブラジャー１の概要］
以下、本発明の実施形態として、一対のカップ部１１，１２を有する代表的な衣類であるブラジャー１を例に説明する。図１は、本発明の実施形態に係るブラジャー１を正面側から示す斜視図である。また、図２は、図１のブラジャー１を背面側から示す斜視図である。
【００１７】
図１，２に示すブラジャー１は、一対のカップ部１１，１２を有する女性用下着の１種であり、使用者は自身の乳房（以下「バスト」ともいう）を一対のカップ部１１，１２に収容するようにして着用する。また、ブラジャー１は、使用者が着用した状態においてカップ部１１，１２を吊持可能な肩紐１３と、使用者が着用した状態においてカップ部１１，１２を使用者の身体に密着させる脇帯１５とを有しており、これらによってカップ部１１，１２が使用者の所望の位置（バストの位置）に固定される。そして、本実施形態のブラジャー１では、これらの基本的構成に加えて、バストのボリュームアップ効果を期待できるリフトアップ手段５が備えられている。
以下、図面を参照にして、ブラジャー１の各構成について詳細に説明する。なお、以下の説明において、「上下の方向」は、使用者の着用状態を基準とし、「左右の方向」は使用者の目線を基準とする。
【００１８】
［ブラジャー１の各構成について］
（一対のカップ部１１，１２）
図３は、図１のブラジャー１を展開して正面視した展開図である。一対のカップ部１１，１２のそれぞれは、所定の不織布を素材として形成されたものであり、図１，２に示すように、バストの形状に沿うような曲面を呈したほぼ半球状の構造である。具体的には、各カップ部１１，１２は、曲面の凸側を外面とし、その反対側（凹側）の面を内面とする構成であり、その内面側に使用者のバストを収容する空間が形成される。
【００１９】
各カップ部１１，１２は、図１，２に示すように、図示しない上下方向に延びる仮想線を基準に線対称となるように並べられ、主に下端側においてほぼ軸状の連結部２１を介して一体的に連結されている。具体的には、図３に示すように、左右に並べられた一対のカップ部１１，１２の下端側と側端側を縁取るように連結部２１が配され、その状態で、一対のカップ部１１，１２が連結部２１に対して縫着されている。
【００２０】
また、この一対のカップ部１１，１２の外面側（凸側）には、図１，２に示すように、装飾部３１が設けられている。この装飾部３１は、薄手の生地により形成されており、各カップ部１１，１２に対して１枚ずつ配されている。それぞれの装飾部３１ａ，３１ｂは、各カップ部１１，１２よりも若干大きめのサイズで、且つ各カップ部１１，１２とほぼ同一の形状となるように形成されている。そして、各装飾部３１ａ，３１ｂは、各カップ部１１，１２を覆うと共に、ブラジャー１の中心側、つまり左右に並べられたカップ部１１，１２の間において、着物のように打ち合わせた（いわゆるカシュクール）部分を形成するように配されている。そして、そのように配した状態で、各装飾部３１ａ，３１ｂは、その下端側が連結部２１に一体的に縫着されると共に、その上端側が各カップ部１１，１２の上端側に一体的に縫着されている。なお、他の実施形態では、このような装飾部３１を備えないブラジャーであってもよい。
【００２１】
また、図３に示すように、一対のカップ部１１，１２の連結に寄与する連結部２１には、一対のカップ部１１，１２に対向する側（カップ部１１，１２よりも下方側）に土台部２２がさらに縫着されている。この土台部２２は、一対のカップ部１１，１２と脇帯１５とを一体的に接続する中継機能の役割を果たすものであり、所定の不織布を素材として形成された平面状の部材である。なお、他の実施形態では、このような中継機能を果たす土台部２２を設けることなく、一対のカップ部１１，１２又は一対のカップ部１１，１２が縫着された連結部２１に対して脇帯１５を接続するようなブラジャーであってもよい。
【００２２】
（脇帯１５）
脇帯１５は、所定の不織布を素材として形成されたものであり、図３に示すように、上記一対のカップ部１１，１２のうちの一方のカップ部１１側に接続された係合側脇帯１５ａと、他方のカップ部１２側に接続された被係合側脇帯１５ｂとで構成されている。
【００２３】
具体的には、被係合側脇帯１５ａは、カップ部１１側に接続された一方の端部側が他方の端部側よりも幅広形状であり、当該他方の端部（以下「被係合側端部」ともいう）側に係合手段の一部を構成する被係合部３２が設けられている。係合側脇帯１５ｂは、その形状は被係合側脇帯１５ａと同一であるが、他方の端部（以下「係合側端部」ともいう）側に係合手段の一部を構成する係合部（不図示）が設けられている点が被係合側脇帯１５ａと異なる。この係合手段を構成する被係合部３２と係合部とは、被係合側端部と係合側端部とを重ね合わせた姿勢にすることで互いに係合可能であり、これらを係合することで、係合側脇帯１５ａと被係合側脇帯１５ｂと一対のカップ部１１，１２とが使用者の胴回りを囲繞する環状構造を形成する。
【００２４】
（肩紐１３）
図４は、図１のブラジャー１のリフトアップパネル６に注目した説明図（リフトアップ前）である。肩紐１３は、伸縮性を有する帯状部材（例えば平ゴム）で形成されており、使用者の肩に配した状態においてカップ部１１，１２を吊持するものである。すなわち、図１，２に示すように、肩紐１３は、各カップ部１１，１２に対してそれぞれ１ずつ配され、いずれも鉛直上方に向けて凸状を呈するライン（使用者の肩を中継点として正面から背中に沿ったライン）となるように、一方の端部が各カップ部１１，１２及び装飾部３１ａ，３１ｂの上端側に接続されている。また、肩紐１３の他方の端部は、脇帯１５に接続されている。
【００２５】
具体的には、肩紐１３は、他方の端部側に当該肩紐１３の長さを調整可能とする肩紐調整部３３が設けられており、当該他方の端部側では肩紐調整部３３を介して脇帯１５に接続されている。より詳細には、肩紐調整部３３は、図２に示すように、肩紐１３の一部を環状構造にして、その環部の大きさを調整することで肩紐１３の長さを調整するものであり、肩紐調整部３３は、その環部を介して脇帯１３に取り付けられたリング状の取付部材４１に接続されている。これに対して、肩紐１３の一方の端部側は、図２，４に示すように、カップ部１１，１２及び装飾部３１ａ，３１ｂに対して直接的に縫着されている。
【００２６】
（リフトアップ手段５）
続いて、本実施形態のブラジャー１の特徴的構成であるリフトアップ手段５について説明する。リフトアップ手段５は、図１に示すように、上記装飾部３１のさらに外面側を覆うリフトアップパネル（接触部）６と、そのリフトアップパネル６と接続されたパネル調整部（力発生手段）７とを有する。
【００２７】
リフトアップパネル６は、伸縮性のある素材を用いて形成され、図１，３に示すように、各カップ部１１，１２の外面側に設けられた装飾部３１ａ，３１ｂの主に下部側から側端側に亘って覆うような形状に形成されている。なお、以下においては、説明の便宜上、カップ部１１，１２を基準に説明する。
【００２８】
具体的には、一方のカップ部１１側に配されたリフトアップパネル６ａは、図３に示すように、カップ部１１の中心（もしくは凸側曲面の頂点）から鉛直方向に引いた仮想線ｋ１に対して、所定の角度（例えば「３０°」〜「４５°」）だけ時計回り方向に傾けた傾斜線ｐを基準として、左側傾斜領域（ブラジャー１の主に外側領域）を覆うような曲面形状に形成されている。また、他方のカップ部１２側に配されたリフトアップパネル６ｂは、カップ部１２の中心から鉛直方向に引いた仮想線ｋ２に対して、所定の角度だけ反時計回り方向に傾けた傾斜線ｑを基準として、右側傾斜領域（ブラジャー１の主に外側領域）を覆うような曲面形状に形成されている。
【００２９】
また、上記内容を言い換えると、一方のカップ部１１を覆うリフトアップパネル６ａは、カップ部１１の中心から下側の下側領域（図３の破線で示す囲い参照）と、カップ部１１の中心から左側の左側領域（図３の破線で示す囲い参照）とを含んだ範囲（左側傾斜領域）を覆うように配されており、他方のカップ部１２を覆うリフトアップパネル６ｂは、カップ部１２の中心から下側の下側領域（図３の破線で示す囲い参照）と、カップ部１２の中心から右側の右側領域（図３の破線で示す囲い参照）とを含んだ範囲（右側傾斜領域）を覆うように配されている。
【００３０】
各リフトアップパネル６ａ、６ｂは、カップ部１１，１２の左側傾斜領域又は右側傾斜領域（いずれもブラジャー１の外側領域）に配された状態で、その下端側が上記連結部２１に対して縫着されており、またその上端側は、パネル調整部７を介して、肩紐１３に対して接続されている。つまり、いずれのリフトアップパネル６ａ，６ｂも、各カップ部１１，１２の中心側に位置する部分と他の箇所との部分とで高低差を形成した姿勢で、ブラジャー１の上下方向において接続されている。
【００３１】
パネル調整部７は、上記肩紐調整部３３と概ね同一の構成であり、図４に示すように、伸縮性を有する帯状部材（例えば平ゴム）で環状構造を形成し、その環部の大きさを調整することによって長さ調整が可能なものである。このパネル調整部７は、帯状部材の一方の端部側に環状構造を形成し、当該パネル調整部７の一方の端部側が、その環部を介して上記リフトアップパネル６の上端側に取り付けられた環状の取付部材に接続されている。これに対して、パネル調整部７の他方の端部側は、図１，４に示すように、肩紐１３に対して直接的に縫着されている。
【００３２】
［リフトアップ手段５の機能］
次に、本実施形態のブラジャー１におけるリフトアップ手段５の機能について説明する。ここで、図５は、図１のブラジャー１のリフトアップパネル６に注目した説明図（リフトアップ後）である。
【００３３】
上述したように、本実施形態のブラジャー１は、左右一対のカップ部１１，１２が連結部２１を介して連結され、また連結部２１に縫着された土台部２２に脇帯１５が接続されている。肩紐１３は、その一方の端部側が各カップ部１１，１２に直接的に縫着されると共に、その他方の端部側は肩紐調整部３３を介して脇帯１５に接続されている。そして、本実施形態のブラジャー１では、リフトアップ手段５が、各カップ部１１，１２の上記した左側傾斜領域又は右側傾斜領域を覆うように配されている。
【００３４】
すなわち、リフトアップ手段５では、リフトアップパネル６ａ，６ｂが上記した図３に示す傾斜線ｐ，ｑを基準として、各カップ部１１，１２の左側傾斜領域又は右側傾斜領域を覆うような位置に配されている。そして、リフトアップパネル６ａ，６ｂは、その下端側が、各カップ部１１，１２の下端側が連結部２１に縫着されている範囲とほぼ同等の範囲に亘って連結部２１に縫着され、その上端側が、リフトアップパネル６ａ，６ｂに接続されたパネル調整部７を介して、肩紐１３に接続されている。
【００３５】
かかる構成により、本実施形態のブラジャー１では、リフトアップ手段５のパネル調整部７の長さが調整されると、リフトアップ手段５におけるリフトアップパネル６の長さ（以下「パネル長さ」ともいう）Ｄが変更される。
【００３６】
ここで、リフトアップ手段５は、上下端（パネル調整部７の上端とリフトアップパネル６の下端）が固定端であるため、その長さ（以下「全体長さ」ともいう）Ｌは一定に維持される。そのため、リフトアップ手段５は、パネル調整部７の長さが調整されると、それに応じてリフトアップパネル６のパネル長さＤも調整されることになるが、これらの和は常に一定値を示す。
【００３７】
図４に示すように、パネル調整部７の環部を最小にすると、パネル調整部７の長さが最大長さＴｍａｘとなる。一方、パネル調整部７の長さが最大長さＴｍａｘのときは、リフトアップパネル６は、伸縮性による伸びがない通常状態の長さ（以下この長さを「パネル最小長さＤｍｉｎ」ともいう）を呈する。つまり、パネル調整部７が最大長さＴｍａｘに調整された状態では、パネル調整部７の最大長さＴｍａｘとパネル最小長さＤｍｉｎを加算した値がリフトアップ手段５の全体長さＬとなる。
【００３８】
一方、図５に示すように、パネル調整部７の環部を最大にすると、パネル調整部７の長さが最小長さＴｍｉｎとなる。このとき、リフトアップパネル６は、上下方向から引っ張られるため、パネル長さＤが変化する。具体的には、パネル調整部７の長さが減った分、リフトアップパネル６のパネル長さＤが増加することになる。すなわち、パネル調整部７の長さが最小長さＴｍｉｎに調整されると、上記した最大長さＴｍａｘから最小長さＴｍｉｎを減算して算出される値が示す長さだけ、リフトアップパネル６のパネル長さＤが増加する（このときのパネル長さＤを「パネル長さＤｍａｘ」ともいう）。
【００３９】
なお、パネル調整部７が最小長さＴｍｉｎに調整された状態では、パネル調整部７の最小長さＴｍｉｎとパネル最大長さＤｍａｘを加算した値がリフトアップ手段５の全体長さＬとなる。
【００４０】
したがって、本実施形態のブラジャー１では、パネル調整部７の環部を最大にした場合（図５参照）の方が、パネル調整部７の環部を最小にした場合（図４参照）よりも、パネル長さＤが長くなる。
【００４１】
このように、本実施形態のブラジャー１では、リフトアップ手段５のパネル調整部７の長さを調整することで、そのリフトアップ手段５のリフトアップパネル６のパネル長さＤが調整される。そして、本実施形態のブラジャー１では、このリフトアップパネル６のパネル長さＤの調整に伴って、各カップ部１１，１２の内部の空間容積が変化する。
【００４２】
例えば、図４に示すように、リフトアップパネル６をパネル最小長さＤｍｉｎに調整した場合は、リフトアップパネル６はカップ部１１，１２を押圧しない状態、つまりリフトアップパネル６と装飾部３１との間に隙間（「遊び」ともいう）を形成した状態あるいはリフトアップパネル６と装飾部３１との間の隙間はほぼないが単に接触した状態となる。そのため、各カップ部１１，１２は、その内部の空間容積として各カップ部１１，１２が持つ容積（以下「通常容積」ともいう）が維持される。
【００４３】
一方、図５に示すように、リフトアップパネル６をパネル最大長さＤｍａｘに調整した場合は、リフトアップパネル６は少なくともカップ部１１，１２の下側領域を押圧する方向に移動して、各カップ部１１，１２の内部の空間容積を減少させる。
【００４４】
ここで、一般に、生地等は、所定の強さで引っ張り力を掛けた場合、弛み等が無くなりピンと張った状態となる。生地等がピンと張った状態になると、弛みなどによって形成される曲線部分がほぼ無くなり、平面状を呈した形態となる。
【００４５】
すなわち、リフトアップパネル６は、その下端部が接続された連結部２１とその上端部が接続された肩紐１３とから引っ張られた状態になると、リフトアップパネル６は引っ張り力によって長さが伸びるだけでなく、高低差を有した姿勢から平面状を呈した姿勢へ変化しようとする。リフトアップパネル６は、この姿勢の変化により、装飾部３１との間に遊びがあればその遊びが無くなる方向に移動し、またリフトアップパネル６と装飾部３１との間に既に遊びが無く両者が接触又は密着状態であればさらに密着する方向に移動する。このように、リフトアップパネル６は、パネル最大長さＤｍａｘに調整されると、引っ張り力が作用し、一対のカップ部１１，１２の左側傾斜領域及び右側傾斜領域において密着度を増していく。
【００４６】
リフトアップパネル６のカップ部１１，１２に対する密着度が増していくと、カップ部１１，１２はリフトアップパネル６によって押圧された状態となる。その結果、各カップ部１１，１２の内部の空間容積が、各カップ部１１，１２が持つ容積から所定の容積（カップ部１１，１２の押圧変形分の容積）分減少された容積（以下「リフトアップ容積」ともいう）に変化する。
【００４７】
特に、本実施形態では、リフトアップパネル６が、ブラジャー１の外側領域（カップ部１１，１２の左側傾斜領域又は右側傾斜領域）に配された構成であるため、各カップ部１１，１２では、その外側領域に当たる、カップ部１１の中心よりも下側の領域とさらに左側の領域を含んだ範囲及びカップ部１２の中心よりも下側の領域とさらに右側の領域を含んだ範囲の内部の空間容積が減少する。一方で、各カップ部１１，１２は、リフトアップ手段５によって、ブラジャー１の内側領域（上記外側領域以外の領域）に当たる内部の空間容積は減少することはない。
【００４８】
このように、本実施形態のブラジャー１では、リフトアップ手段５のパネル調整部７の長さが調整されるとリフトアップパネル６のパネル長さＤが変化して、リフトアップパネル６に引っ張り力が発生し、その引っ張り力によってカップ部１１，１２の上記左側傾斜領域又は右側傾斜領域の空間容積を減少させることができる。
【００４９】
［ブラジャー１の着用時の作用効果］
次に、本実施形態のブラジャー１を使用者が実際に着用した際の作用効果について説明する。ここで、図６は、図１のブラジャー１の実際の使用方法を示す説明図であり、（Ａ）はリフトアップ前を示し、（Ｂ）はリフトアップ後を示す図である。
【００５０】
本実施形態のブラジャー１は、従来のブラジャーと同様の方法で着用することができる。すなわち、まず、脇帯１３を構成する係合側脇帯１５ａと被係合側脇帯１５ｂとを係合しない状態、つまり係合側脇帯１５ａの係合側端部と被係合側脇帯１５ｂの被係合側端部との繋がりを解除した状態で、使用者は肩紐１３を自身の肩に掛ける。そして、使用者は、一対のカップ部１１，１２を自身のバストに当て、その状態で係合側脇帯１５ａと被係合側脇帯１５ｂとを自身の背中側で重ね合わせて係合状態にする。これにより、一対のカップ部１１，１２と脇帯１５とによって環状構造が形成され、ブラジャー１が使用者のバスト位置に固定される。
【００５１】
なお、こうしてブラジャー１がバスト位置に固定された後に、カップ部１１，１２とバストの相対的な位置関係を調整することもある。また、ブラジャーの着用方法は個人差があり、上記とは異なる方法で着用する場合もある。また、脇帯１５を係合状態にした後に使用者が肩紐１３の長さがフィットしていないと感じる場合は、一旦ブラジャー１を身体から取り外し、外した状態で肩紐１３の長さを適当な長さに調整する。そして、再び、上記同様の方法又は異なる方法でブラジャー１を装着する。
【００５２】
本実施形態のブラジャー１は、こうして使用者に着用された後に、リフトアップ手段５を用いてバストのボリュームアップ効果を図ることができる。
【００５３】
例えば、ブラジャー１の着用直後において、リフトアップ手段５のパネル調整部７の環部が最小にされた状態、つまりリフトアップ手段５のリフトアップパネルのパネル長さＤがパネル最小長さＤｍｉｎの状態であれば、一対のカップ部１１，１２の内部の空間容積は通常容積であるため、図６（Ａ）に示すように、ブラジャー１では、従来のブラジャーの着用時と同様のバスト形状が形成される。つまり、一対のカップ部１１，１２の内部の空間容積が通常容積の場合には、その一対のカップ部１１，１２の中間において、バストによって形成され得る谷間が強調されない。
【００５４】
一方、ブラジャー１の着用直後、リフトアップ手段５のパネル調整部７の環部を最大に調整した状態、つまりリフトアップ手段５のリフトアップパネル６のパネル長さＤがパネル最大長さＤｍａｘの状態に調整されると、一対のカップ部１１，１２の内部の空間容積は通常容積から上記リフトアップ容積に変化して、実質的な空間容積が減少する。
【００５５】
これに伴い、カップ部１１，１２に収容されたバストは、ブラジャー１の外側領域における空間容積の減少分だけブラジャー１の内側領域に移動するようにその形状を変化させる。具体的には、ブラジャー１の内部の空間容積がリフトアップ容積に変化されると、ブラジャー１の内部に収容されたバストはブラジャー１の内側、つまり一方のカップ部１１に収容されたバストは右側、他方のカップ部１２に収容されたバストは左側に寄せられつつ、さらにそのバストは上方に持ち上げられた姿勢に変化する。これにより、一対のカップ部１１，１２の中間において、バストによって美しい谷間が作られ、見た目におけるバストのボリュームアップ効果を図ることができる。
【００５６】
なお、バストの大きさには個人差があるため、リフトアップ手段５のリフトアップパネル６のパネル長さＤを図６（Ｂ）に示すようなパネル最大長さＤｍａｘにせずに、パネル最小長さＤｍｉｎとパネル最大長さＤｍａｘとの間の中間長さに調整することでも、上記したようなバストのボリュームアップ効果を図ることができる場合がある。
【００５７】
以上のように、本実施形態のブラジャー１は、リフトアップ手段５が備えられ、そのリフトアップ手段５のパネル調整部７の環部を調整して、リフトアップ手段５のリフトアップパネル６のパネル長さＤを長くして、リフトアップパネル６に引っ張り力を発生させることができ、その作用により、一対のカップ部１１，１２に収容されたバストをブラジャー１の内側領域に寄せるようにして上部に持ち上げることができる。すなわち、本実施形態１のブラジャー１は、かかる作用により、バストのボリュームアップ効果を図ることができる。
【００５８】
また、本実施形態のブラジャー１は、リフトアップ手段５のパネル調整手段７が、リフトアップ手段５のパネル長さＤにだけ影響を与える構成であり、また肩紐１３の長さを変更する肩紐調整部３３の変更の影響を受けない構成であるため、バストのボリュームアップを図ったとしても、肩紐１３が短くなることはなく、一対のカップ部１１，１２の内部の空間容積だけを減少させることができるため、使用者が肩紐に起因した窮屈感を受けることがない。また、従来のように、肩紐によってブラジャーのカップ部の位置を持ち上げることでバストのボリュームアップ効果を図るものではなく、カップ部１１，１２の位置は固定した状態で、バストのみを上方に持ち上げることができるため、従来のものと比べると小さい負担でバストのボリュームアップ効果を図ることができる。
【００５９】
［変形例］
以下に、本発明の衣類に係る変形例について説明する。
【００６０】
上記実施形態では、リフトアップ手段５のリフトアップパネル６のパネル調整部７の長さを調整することで、バストのボリュームアップ効果を図るブラジャー１として説明したが、本発明はこれに限定されない。例えば、リフトアップパネル６の肩紐への接続位置を変更可能とした接続位置変更手段を用いた構成にすることで、上記同様、リフトアップパネル６に対して引っ張り力を発生させて、バストのボリュームアップ効果を図ることができる。
【００６１】
図７は、図１のブラジャー１の変形例を示す説明図（接続位置変更手段）である。かかる構成のブラジャー５１は、上記実施形態のブラジャー１に備えられたリフトアップ手段５と異なる構成のリフトアップ手段５５を備えており、その他の構成に関しては同一であるため、ここではリフトアップ手段５５のみに注目して説明する。
【００６２】
リフトアップ手段５５は、図７に示すように、上記実施形態と同様のリフトアップパネル（接触部）６と、そのリフトアップパネル６を肩紐１３の所定の位置への接続を可能とする接続位置変更手段（力発生手段）５７とを有する。なお、リフトアップパネル６は、上述しているため説明を省略する。
【００６３】
接続位置変更手段５７は、リフトアップパネル６に取り付けられた係止部材５７ａと、肩紐１３に取り付けられたスリット形成部材５７ｂとで構成されている。
【００６４】
係止部材５７ａは、金属により形成されたフック状の部材である。係止部材５７ａは、リフトアップパネル６の上端に取り付けられている。具体的には、係止部材５７ａは、ブラジャー５１の内側方向、つまり一方のカップ部１１を覆うリフトアップパネル６ａに取り付けられた係止部材５７ａは左側方向、また他方のカップ部１２を覆うリフトアップパネル６ｂに取り付けられた係止部材５７ａは右側方向に、挿入開口ｍ及び引掛け部ｎが位置する姿勢で、それぞれのリフトアップパネル６ａ，６ｂに取り付けられている。なお、係止部材５７ａは、金属により成形されたものに限るわけではなく、その他樹脂等によって成形されたものであってもよい。
【００６５】
スリット形成部材５７ｂは、肩紐１３と同一の帯状部材が用いられており、肩紐１３に対して縫着されることでスリットを形成するものである。具体的にはスリット形成部材５７ｂは、肩紐１３の延伸方向に沿って重ね合わせた状態で配され、当該肩紐１３の延伸方向に沿って所定の間隔（例えば「１ｃｍ」）で、且つ当該肩紐１３の延伸方向に対して直行する方向に縫着部が設けられている。これにより、スリット形成部材５７ｂと肩紐１３との重ね合わせ部分に、複数のスリットが形成される。図７では、スリット形成部材５７ｂによって、３つのスリットが肩紐１３の延伸方向に沿って形成されている。
【００６６】
かかる構成によれば、接続位置変更手段５７の係止部材５７ａを、接続位置変更手段５７のスリット形成部材５７ｂによって形成されたスリットに係止させれば、その係止させたスリットの位置に応じたバストのボリュームアップ効果が期待できる。
【００６７】
具体的には、図７では、肩紐１３の延伸方向に沿って３つのスリットが設けられており、肩紐１３がカップ部１１，１２に縫着された部分から最も近いスリットに係止部材５７ａを係止させれば、リフトアップパネル６にほぼ引っ張り力が発生しないため状態が期待できる。つまり、一対のカップ部１１，１２の内部の空間容積は通常容積が維持されるため、従来のブラジャーの着用時と同様のバスト形状が形成される。
【００６８】
一方、肩紐１３がカップ部１１，１２に縫着された部分から最も遠いスリット、又はそのスリットと上記最も近いスリットとの間のスリットに係止部材５７ａを係止させれば、リフトアップパネル６に引っ張り力が発生した状態が期待できる。つまり、一対のカップ部１１，１２の内部の空間容積は減少されたリフトアップ容積に変化するため、バストのボリュームアップ効果を図ることができる。また、かかる構成においても、上記した実施形態と同様、従来のブラジャーのように、バストのボリュームアップを図ったとしても、肩紐１３が短くなることはなく、一対のカップ部１１，１２の内部の空間容積だけを減少させることができるため、使用者がブラジャー５１から窮屈感を受けることがない。
【００６９】
また、上記実施形態では、リフトアップパネル６を一対のカップ部１１，１２の外面側に配して、リフトアップパネル６がバストを間接的にリフトアップする構成として説明したが、本発明はこれに限定されるものではなく、リフトアップパネル６を一対のカップ部１１，１２の内面側に配して、リフトアップパネル６によってバストを直接的にリフトアップする構成であってもよい。かかる構成の場合、上記実施形態とは異なり、バストのボリュームアップ効果を図る際において、リフトアップパネル６がカップ部１１，１２を押圧することはなく、逆にカップ部１１，１２の内面に対して離反する方向に移動することになる。具体的には、リフトアップパネル６は、引っ張り力が発生すると、主にその下端側がカップ部１１，１２の下端側から離反する方向に移動し、その作用によりバストを上方に持ち上げる。なお、かかる構成を採用する場合は、より好適にバストのボリュームアップを図る観点から、図８に示すように、リフトアップパネル６０のサイズを上記したリフトアップパネル６よりも大きくし、上記した装飾部３１のように、一対のカップ部１１，１２の間の位置において打ち合わせ部を形成したカシュクール構造が作用されてもよい。
【００７０】
上記実施形態では、肩紐１３をカップ部１１，１２に直接的に縫着した構成として説明したが、他の実施形態では、肩紐１３とカップ部１１，１２との間に両者を接続する別部材を設けて、当該別部材を介して間接的に肩紐１３とカップ部材１１，１２とを接続するものであってもよい。
【００７１】
上記実施形態では、リフトアップパネル６全体を用いてバストをブラジャー１の内側に寄せつつ持ち上げる構成として説明したが、他の実施形態では、リフトアップパネルのサイズを大きくして、その一部だけがバストのボリュームアップ効果に寄与することができる構成であっても構わない。
【００７２】
また、上記実施形態では、一対のカップ部１１，１２を備えた衣類としてブラジャーについて説明したが、本発明はこれに限定されるものではなく、図示していないが、例えば、ボディースーツ、キャミソール、レオタード、水着等のバストを収容可能なカップ部を有する衣類であれば、いかなる衣類であっても構わない。
【符号の説明】
【００７３】
１    ブラジャー（衣類）
５    リフトアップ手段
６    リフトアップパネル（接触部）
７    パネル調整部（調整手段）
１１    カップ部
１２    カップ部
１３    肩紐
１５    脇帯
３３    肩紐調整部
５１    ブラジャー
５５    リフトアップ手段
５７    接続位置変更手段（調整手段）
５７ａ  係止部材
５７ｂ  スリット形成部材
６０    リフトアップパネル（接触部）
【図１】
2016130380.tif 000003
【図２】
2016130380.tif 000004
【図３】
2016130380.tif 000005
【図４】
2016130380.tif 000006
【図５】
2016130380.tif 000007
【図６】
2016130380.tif 000008
【図７】
2016130380.tif 000009
【図８】
2016130380.tif 000010